(57)【要約】【課題】施工コストを節約でき、かつ見栄えも良いドア枠１０，２０を提供すること。【解決手段】ドア縦枠１０及びドア上枠２０を、第１枠部材１１，２１と第２枠部材１２，２２の２部材で構成する。部品点数が少なく、施工コストを低減できる。第１枠部材１１，２１の端部に凹段部１１ａ，２１ｂを形成し、第２枠部材１２ａ，２２ａの端部を重ねたとき表面が面一となるように構成することで、両枠部材１１，１２，２１，２２の厚みが同寸法になり、ドア開口部の見栄えが良くなる。【選択図】  図２
2004293169.tif 000002
【特許請求の範囲】
【請求項１】
ドア開口の端面に固定されるドア枠であって、断面形状が略¬形の第１枠部材と第２枠部材を備え、第１枠部材の端部には第２枠部材の端部を重ねたとき両枠部材の表面が面一になるように長手方向に延びる凹段部が形成され、第１枠部材をドア開口端面に固定し、第２枠部材の端部を前記凹段部に重ね合わせて固定したことを特徴とするドア枠。
【発明の詳細な説明】
【０００１】
【発明の属する技術分野】
本発明はドア開口の端面に固定されるドア枠に関する。
【０００２】
【従来の技術】
この種のドア枠の一形式として、図５に示すように断面コ字形の一対の枠部材ａと枠板ｂを備え、枠板ｂの両端部と中央部に嵌合溝ｃ，ｄを形成し、ドア開口端面と枠板ｂの間にスペーサーｅを介在させた状態で枠板ｂをビスｆでドア開口端面に固定し、枠板ｂの両端部の嵌合溝ｃに枠部材ａを嵌着し、中央部の嵌合溝ｄに扉ｇの端部が当たる戸当たり枠ｈを嵌着したドア枠構造が知られている。
また、ドア枠の他の形式として、図６に示すように断面¬形の第１枠部材ｉと第２枠部材ｊを備え、スペーサーｅを介して第１枠部材ｉをビスｆでドア開口端面に固定し、第２枠部材ｊの端部を第１枠部材ｉの端部に重ねた状態でビスｆで第１枠部材ｉに固定するドア枠構造も知られている。
【０００３】
【発明が解決しようとする課題】
図５に示すドア枠は一対の枠部材ａ、枠板ｂ及び戸当たり枠ｈの４部材を必要とし、部材点数が多いので、施工コストが高くなる。
一方、図６に示すドア枠は第１枠部材ｉに重ねた第２枠部材ｊの端部が戸当たり枠として機能するので、２部材で済むものの、第１枠部材ｉの厚みＬ１と第２枠部材の厚みＬ２が異なるためドア開口部の見栄えが悪くなる。
本発明はかかる問題点に鑑み、施工コストを節約でき、かつ見栄えも良いドア枠を提供することを目的とする。
【０００４】
【課題を解決するための手段】
上記目的を達成するため本発明は、ドア開口の端面に固定されるドア枠であって、断面形状が略¬形の第１枠部材と第２枠部材を備え、第１枠部材の端部には第２枠部材の端部を重ねたとき両枠部材の表面が面一になるように長手方向に延びる凹段部が形成され、第１枠部材をドア開口端面に固定し、第２枠部材の端部を前記凹段部に重ね合わせて固定したことを特徴とする。
【０００５】
【発明の作用・効果】
本発明によれば、ドア枠を第１枠部材と第２枠部材の２部材で構成するので、部品点数が少なく、施工コストを低減できる。また、第１枠部材の端部に凹段部を形成し、第２枠部材の端部を重ねたとき面一となるように構成したので、両枠部材の厚みが同寸法になり、ドア
開口部の見栄えが良い。
【０００６】
【発明の実施の形態】
以下に本発明を図面に基づき説明するに、図１には本発明の一実施形態に係る左右一対のドア縦枠１０と、ドア上枠２０及び一方のドア縦枠１０にヒンジ３１で開閉可能に組み付けた扉３０が示されている。
【０００７】
ドア縦枠１０は図２及び図３に示すように、第１枠部材１１、第２枠部材１２、スペーサー金具１３及び戸当たり枠１４を備えている。第１枠部材１１と第２枠部材１２は断面形状が略¬形に形成されている。第１枠部材１１の一端には長手方向に延びる凹段部１１ａが形成されている。この凹段部１１ａの深さは第２枠部材１２の端部１２ａを重ねたとき両枠部材１１，１２の表面が面一になるように設定されている。第１枠部材１１の内面には上下４箇所にスペーサー金具１３を装着する嵌合穴１１ｂが開口され、外面にはこの嵌合穴１１ｂに連通する小径穴１１ｃが開口されている。また、第１枠材１１の外面には戸当たり枠１４の端部が嵌合する、長手方向に延びる縦溝１１ｄが形成されている。スペーサー金具１３は外周部に雄ねじを形成した木製だぼ１３ａと、一端開口からだぼ１３ａをねじ込むことができるように内面に雌ねじを形成し、他端に６画レンチが挿入される６画穴を形成した金属製の筒ケース１３ｂと、筒ケース１３ｂを嵌合穴１１ｂに回転可能にかつ抜け落ちないように取り付けるリング１３ｃで構成され、筒ケース１３ｂにだぼ１３ａをねじ込み、この筒ケース１３ｂを嵌合穴１１ｂに装着し、リング１３ｃを筒ケース１３ｂに被せてビス（図示略）で第１枠部材１１に固定することで嵌合穴１１ｂから外れないように取り付けられる。扉３０のハンドル３２側のドア縦枠１０に取り付けた戸当たり枠１４には扉３０を閉じたときの衝撃音を低減するためのパッキン１５が取り付けられている。
【０００８】
ドア縦枠１０の構成は以上の通りであって、以下にその組み付けの手順を説明する。第１枠体１１の嵌合穴１１ｂに装着したスペーサー金具１３の筒ケース１３ｂの６画穴からビス１６を挿入し、だぼ１３ａを貫通してドア開口部の躯体４０にねじ込んでスペーサー金具１３を躯体４０に固定し、これにより第１枠部材１１をドア開口端面に固定する。そうしておいて、６画レンチを筒ケース１３ｂの６画穴から差し込んで筒ケース１３ｂを回すと、筒ケース１３ｂはリング１３ｃで嵌合穴１１ｂに回転可能で抜け落ちないように取り付けられているので、相対的にだぼ１３ａが進退し、躯体４０と第１枠部材１１の間隔が調整され、第１枠部材１１が躯体４０に垂直に固定される。
【０００９】
次ぎに、第２枠部材１２の端部１２ａを第１枠部材１１の凹段部１１ａに重ね合わせ、ビス１７で第１枠部材１１に固定する。続いて、戸当たり枠１４の端部を第１枠部材１１の縦溝１１ｄに嵌合し、ビス１８で第２枠部材１２と第１枠部材１１に固定する。
【００１０】
ドア上枠２０は図４に示すように、第１枠部材２１と第２枠部材２２及び戸当たり枠２３で構成される。これら第１枠部材２１と第２枠部材２２及び戸当たり枠２３はドア縦枠の第１枠部材１１、第２枠部材１２とほぼ同じ構造を備えている。ドア縦枠１０の第１枠部材１１は反凹段部側の端部が折れ曲がっているが、ドア上枠２０の第１枠部材２１の端部は折れ曲がっていない点で若干形状が異なる。同様にドア上枠２０の第２枠部材２２も端部が折れ曲がっていない点でドア縦枠の第２枠部材１２と形状が異なる。また、ドア上枠２０では戸当たり枠２３が光漏れ防止のために取り付けられるのでパッキンは省かれている。
【００１１】
ドア上枠２０は、縦溝２１ａにビス２４を挿入して第１枠部材２１をこのビス２４でドア開口部の躯体４０に固定し、第１枠部材２１の凹段部２１ａに第２枠部材２２の端部２２ａを重ね合わせ、ビス２５で第１枠部材２１に固定し、第１枠部材２１の縦溝２１ａに戸当たり枠２３の端部を嵌合し、ビス２６で第１枠部材２１に固定して組み立てる。
【００１２】
本実施形態に係るドア縦枠１０及びドア上枠２０は、第１枠部材１１，２１と第２枠部材１２，２２の２部材で組み立てるので、部品点数が少なく、施工コストを低減できる。また、第１枠部材１１，２１の端部に凹段部１１ａ，２１ｂを形成し、第２枠部材１２ａ，２２ａの端部を重ねたとき表面が面一となるように構成したので、両枠部材１１，１２，２１，２２の厚みが同寸法になり、ドア開口部の見栄えが良い。
【図面の簡単な説明】
【図１】本発明の一実施形態に係るドア縦枠とドア上枠及びドア縦枠に組み付けた扉を示す正面図である。
【図２】図１の２−２線から切断した部分断面図である。
【図３】図１の３−３線から切断したた部分断面図である。
【図４】図１の４−４線から切断した部分断面図である。
【図５】従来のドア枠の一構造を模式的に示す説明図である。
【図６】従来のドア枠の他の構造を模式的に示す説明図である。
【符号の説明】
１０…ドア縦枠、１１…第１枠部材、１１ａ…凹段部、１２…第２枠部材、１３…スペーサー金具、２０…ドア上枠、２１…第１枠部材、２１ａ…凹段部、２２…第２枠部材。
【図１】
2004293169.tif 000003
【図２】
2004293169.tif 000004
【図３】
2004293169.tif 000005
【図４】
2004293169.tif 000006
【図５】
2004293169.tif 000007
【図６】
2004293169.tif 000008